(57)【要約】【課題】画像形成領域と静電潜像目盛り形成領域の露光光量は、個別の最適光量が存在する。画像形成領域と同一の露光条件を用いると、静電潜像目盛りの品質が悪化し正確な測定ができない。【解決手段】画像形成時以外の期間に、潜像目盛り形成の露光光量を段階的に変化させ、潜像目盛りセンサ出力値の特徴である振幅および測定波形のＤｕｔｙから、最適なものを選択して設定光量として決定する。【選択図】図１
2015041035.tif 000002
【特許請求の範囲】
【請求項１】
感光ドラムと、感光ドラムを帯電する帯電手段と、感光ドラムに静電潜像を形成するための露光手段と、
前記感光ドラムは画像形成領域と静電潜像目盛り形成領域をもち、
前記画像形成領域に対し、前記露光手段は第１の露光条件で画像データに応じた潜像を生成し、前記潜像をトナーで現像する現像手段をもち、
前記静電潜像目盛り形成領域に対し、前記露光手段は第２の露光条件で静電潜像目盛りを生成し、前記静電潜像目盛りを検出する潜像検出手段をもち、
前記感光ドラムの画像領域のトナー像を媒体上に静電転写して画像を形成する画像形成装置において、
前記静電潜像検出手段の出力に応じて前記第２の露光条件を設定することを特徴とする画像形成装置。
【請求項２】
前記静電潜像検出手段のアナログ出力信号から振幅を測定する手段を持ち、前記第２の露光条件を変化させながら前記静電潜像検出手段の振幅を測定し、前記振幅が最大になるように前記第２の露光条件を決定することを特徴とする請求項１に記載の画像形成装置。
【請求項３】
前記静電潜像検出手段から算出される２値化信号のパルス幅のduty比を計測する手段を持ち、前記第２の露光条件を変化させながら移動量検出センサで描画パターンを検出し、パルス幅のduty比が所定の値になるように露光条件を決定することを特徴とする請求項１に記載の画像形成装置。
【請求項４】
前記露光手段は、輝度を変更することを特徴とする請求項１乃至請求項３の何れか１項に記載の画像形成装置。
【請求項５】
前記露光手段は、露光時間を変更すること特徴とする請求項１乃至請求項３の何れか１項に記載の画像形成装置。
【請求項６】
前記露光手段は、固定発光素子アレー又はレーザーを用いることを特徴とする請求項１乃至請求項５の何れか１項に記載の画像形成装置。
【発明の詳細な説明】
【技術分野】
【０００１】
本発明は、電子写真記録方式を用いたカラープリンタ、カラー複写機等の複数の画像形成部を有するものに関し、特に、記録媒体搬送方向の色ずれを低減し、高品位な画像出力が可能な画像形成装置に関するものである。
【背景技術】
【０００２】
電子写真方式の画像形成装置は、高速化のために複数の画像形成部を有するものが、各種提案されている。すなわちこれは、中間転写ベルト上、あるいは搬送ベルトに保持された記録材上に順次異なる色（イエローＹ、マゼンダＭ、シアンＣ、ブラックＢｋ）の像を転写する、いわゆるタンデム型方式のカラー画像形成装置である。
【０００３】
高速化を狙った複数の画像形成部を有するタンデム型方式のカラー画像形成装置の問題点としては、次の様なものがあった。機械精度等の原因により、複数の感光ドラムあるいは中間転写ベルトの速度変動や、中間転写ベルトの蛇行が生じる。その結果、各画像形成部の転写位置での感光ドラム外周面と中間転写ベルトの移動量の相違が各色毎にバラバラに発生する。このような状態で画像を重ね合わせると、各色画像が一致せず、100〜150μｍの色ずれ（位置ずれ）を生じることである。感光ドラムや中間転写ベルトの速度変動を抑えて駆動する方法としては、感光ドラムの回転軸や中間転写ベルトの駆動軸にエンコーダを配置して、一定速度になるよう制御し、エンコーダの出力信号に同期して画像形成を行うようにしている。
【０００４】
しかし、回転軸に配置したエンコーダの出力信号を見るだけでは感光ドラムの偏心や、中間転写ベルトの厚みムラの情報が得られない。そこで、感光ドラムの表面や中間転写ベルトの表面の短時間における速度変動を、感光ドラム表面に予め刻み込んだスケールを読む表面検出型のエンコーダを用いて測定することが提案されている。
【０００５】
予めスケールを刻み込まずに、静電潜像を感光ドラムの画像形成領域外の端部に形成し、その静電潜像の電位変化を読み取ることによって速度変動を読み取ることができるようにしたものもある。静電潜像を検出する方式では、静電潜像でドラム表面にスケールに相当する静電潜像目盛りを形成して、通過タイミングを検出するものである。図１４の構成のように、感光ドラム２０１の画像形成領域外に静電潜像２０２を形成する。電位センサの検出部２０３を静電潜像２０２平行に重なるように配置して、相対移動時の誘導電流を、導線２０４を介して副走査方向の位置ずれを検出する回路２０５で処理する（特許文献１参照）。
【０００６】
また感光ドラム上の表面電位は、表面の材質の不均一性等で必ずしも一定とは限らないので、適宜補正をする場合がある。特許文献２では感光ドラムの表面電位ムラを表面電位計で検出し、露光光量を補正することによって一定にする技術が開示されている。
【先行技術文献】
【特許文献】
【０００７】
【特許文献１】特開2010-211197号公報
【特許文献２】特開平5-188707号公報
【発明の概要】
【発明が解決しようとする課題】
【０００８】
感光ドラムの端部である非画像領域に静電潜像目盛りを形成する方法は、トナー像を形成するための潜像形成プロセスと同一のものを用いている。
【０００９】
トナー像は、現像部に保持しているトナーの密度、感光ドラムや装置内部の温度や湿度、感光ドラムやトナーの経時・経年変化によって常に変化しており、常にトナー像の濃度を調整する必要がある。
【００１０】
画像形成領域にトナー像を所定の条件で形成するには、感光ドラム上に形成されるトナー像の濃度を、光学センサを用いて適宜測定する。トナー像の濃度を最適値にするためには、測定値を用いて露光光量を調整することによって行われる。このような調整によって、トナー像の濃度は一定に保つことができるが、トナー像を形成する静電潜像の電位は、露光光量を調整しているため露光光量に対応して変化している。
【００１１】
一方、非静電潜像目盛り形成領域に形成された潜像目盛りのパターンは、現像されずに転写位置近傍に配置した静電潜像検出センサを通過し、感光ドラムの速度変動を検出する。この時、感光ドラムの潜像電位は、トナー像の濃度に対応した露光光量に従って調整されているため、調整毎に出力値のレベルが変化することになる。静電潜像目盛りの検出は、電位差のある境界が、センサに対して相対移動することによって発生する誘導電流を検出するものであるため、境界における電位分布によって、出力値が変化することが分かっている。
【００１２】
光量が少ないと境界前後の電位差が小さく、光量が多すぎると境界前後の電位分布がブロードになるため、いずれも満足する出力を得ることができない。また、静電潜像検出センサの出力値は、画像形成領域の露光量よりも多い方が安定する。
したがって、静電潜像目盛り形成のための露光光量は、トナー像形成に使用される潜像の露光光量とは異なる条件となり、適切な露光光量を設定しなければならないという課題がある。
【課題を解決するための手段】
【００１３】
そのため、本発明においては、感光ドラムと、感光ドラムを帯電する帯電手段と、感光ドラムに静電潜像を形成するための露光手段を設ける。感光ドラムは画像形成領域と静電正ン像目盛り形成領域を持ち、画像形成領域に対し、露光手段は第１の露光条件で画像データに応じた潜像を形成し、潜像をトナーで現像する現像手段を設ける。前記静電潜像目盛り形成領域に対し、露光手段は第２の露光条件で静電潜像目盛りを生成し、静電潜像目盛りを検出する潜像検出手段を設け、感光ドラムの画像領域のトナー像を媒体上に静電転写して画像を形成する画像形成装置において、潜像検出手段の出力に応じて第２の露光条件を設定するように構成する。
【００１４】
静電潜像検出手段のアナログ出力信号から振幅を測定する手段を持ち、前記第２の露光条件を変化させながら静電潜像検出手段の振幅を測定し、振幅が最大になるように前記第２の露光条件を決定するように構成する。
【００１５】
静電像検出手段から算出される２値化信号のパルス幅のduty比を計測する手段を持ち、前記第２の露光条件を変化させながら移動量検出センサで描画パターンを検出し、パルス幅のduty比が所定の値になるように露光条件を決定するように構成する。
【００１６】
また、前記露光条件を変化させる方法は、輝度又は露光時間を変更するようにしたものである。
【発明の効果】
【００１７】
本発明によれば、トナー像濃度を最適に保ちながら、静電潜像を用いた感光ドラム移動速度検出用の適正な静電潜像目盛り出力を得ることができ、静電潜像目盛りの精度向上が見込める。その結果、タンデム方式の画像形成装置において、色ずれが低減できる。
くわしくは、静電潜像目盛り露光量と画像濃度調整は個別に管理されるので、画像領域の濃度調整が行われても静電潜像目盛り検出手段は常に安定した出力を得ることができる。
【図面の簡単な説明】
【００１８】
【図１】画像形成部の構成図
【図２】露光光量制御部のブロック図
【図３】露光時間とピーク出力の関係
【図４】電位センサの構成図
【図５】静電潜像検出センサの読み取り状態
【図６】静電潜像目盛りパターンと出力の関係
【図７】二値化出力の説明図
【図８】振幅が最大になる条件を求める説明図
【図９】露光量を最適にするフローチャート
【図１０】画像形成装置の全体図
【図１１】第２実施例の構成
【図１２】光源ユニット内の回路ブロック図
【図１３】レーザー光を可変するタイミング図
【図１４】従来例
【発明を実施するための形態】
【００１９】
［実施例１］
図１０は本実施例の画像形成装置の構成の説明図である。
【００２０】
図１０に示すように、本実施例の画像形成装置１００は、中間転写ベルト（搬送体）１０９に沿ってイエロー、マゼンタ、シアン、ブラックの画像形成部ＰＹ、ＰＭ、ＰＣ、ＰＫを配置したカラーレーザビームプリンタである。
【００２１】
画像形成部ＰＹは、感光ドラム（像担持体）１０１Ｙの周囲に、帯電手段１０２Ｙ、露光手段１０３Ｙ、現像手段１０４Ｙ、一次転写ローラ１０５Ｙ、クリーニング手段１０６Ｙが配置されている。
【００２２】
画像形成部ＰＹでは、感光ドラム１０１Ｙが矢印Ａ方向に回転し、帯電手段１０２Ｙによって表面を一様な電位に帯電される。
【００２３】
露光手段１０３Ｙは、イエローの分解色画像を展開した画素毎の画像データを露光するＬＥＤアレーであり、個々のＬＥＤは、画像データに従ってＯＮ−ＯＦＦすることで点灯する。これにより、帯電した感光ドラム１０１Ｙの表面に静電像が書き込まれる。
【００２４】
感光ドラム１０１Ｙ上の静電像は現像手段１０４Ｙによりトナー像として現像され、感光ドラム１０１Ｙの回転に伴って担持搬送された後、一次転写部ＴＹにおいて転写手段１０５Ｙによって中間転写ベルト１０９に一次転写される。
【００２５】
クリーニング手段１０６Ｙは、クリーニングブレードを感光ドラム１０１Ｙに摺擦して、一次転写部ＴＹを通過して感光ドラム１０１Ｙの表面に残留した転写残トナーを除去する。
【００２６】
画像形成部ＰＭ、ＰＣ、ＰＫでは、同様にして感光ドラム１０１Ｍ，１０１Ｃ、１０１Ｋにマゼンタトナー像、シアントナー像、ブラックトナー像が形成され、中間転写ベルト１０９に重ね合わせて一次転写される。
【００２７】
搬送体の一例である中間転写ベルト１０９は、駆動ローラ１１３、テンションローラ１１２、バックアップローラ１１０に掛け渡して支持されて矢印Ｂ方向に回転する。
【００２８】
中間転写ベルト１０９に担持された４色のトナー像は、二次転写部Ｔ２へ搬送されて記録材Ｐへ一括二次転写される。記録材Ｐは、給紙カセット１２０から給紙ローラ１1４によって引き出され、分離手段１1５によって１枚毎に分離されてレジストローラ１1６へ送り出される。
【００２９】
レジストローラ１1６は、中間転写ベルト１０９のトナー像に先頭を一致させて、記録材Ｐを二次転写部Ｔ２へ給送する。
【００３０】
４色のトナー像を二次転写された記録材Ｐは、定着装置１1７へ受け渡されて加熱加圧を受けることにより、表面にフルカラー画像を定着される。
【００３１】
中間転写ベルトクリーニング手段１1８は、二次転写部Ｔ２を通過して中間転写ベルト１０９に残った転写残トナーを除去する。
【００３２】
光学センサ（パターン検出手段）１２１は、中間転写ベルト１０９上に転写された４色のトナー像を検出し、画像形成装置の色ずれ状態を検出する。
【００３３】
図１は、画像形成装置の静電潜像目盛り信号取得構成について示している。図１において、画像形成装置は、感光ドラム１と、露光手段としてのＬＥＤアレー２、感光ドラム上の画像形成領域５、静電潜像目盛り形成領域６、光学濃度検出センサ７、静電潜像検出センサ８、露光光量制御部９を備えている。ＬＥＤアレー２は、画像形成領域５を露光する露光部３と、静電潜像目盛り形成領域６を露光する露光部４を備える。露光部３と露光部４は、図面上分割して説明しているが、露光の構成としては同一である。感光ドラム１は、矢印方向に一定速度で回転しており、図１０で説明した帯電部、ＬＥＤアレー２、図１０で説明した現像部、光学濃度検出センサ６及び静電潜像検出センサ８の順に感光ドラム１の表面は通過していく。
【００３４】
帯電部において、感光ドラム１の表面はマイナス電位に帯電する。帯電した感光ドラム１の表面は、回転移動しながら、ＬＥＤアレー２を通過する。潜像を形成するための露光部３及び露光部４は、画像データおよび潜像目盛り形成データに基づいて発光する。画像形成領域５には、静電潜像を用いて画像パターンを形成する。潜像が形成された後、現像部でトナーを用いたトナー像が形成される。光学濃度検出センサ７は、トナー像が通過する時にその濃度を測定する。濃度測定を行う際には、濃度パッチパターンを用いる。濃度パッチパターンはある間隔で形成される。一例としては紙間で形成される。一方、静電潜像目盛り形成領域には、静電潜像を用いて等間隔の静電潜像目盛りを形成する。
【００３５】
現像部は、画像形成領域にのみ作用する構成になっており、端部の静電潜像目盛り形成領域は作用しない。したがって、静電潜像目盛りは、トナーによる現像が行われない。静電潜像検出センサ８は、等間隔に形成された静電潜像目盛りによる誘導電流を検出する。なお、静電潜像目盛りを形成する静電潜像目盛り形成領域６は、感光ドラム１の右端領域に形成されているが、左端領域形成されていても良いし、両端領域を静電潜像目盛り領域としても良い。
【００３６】
露光光量制御部９は、光学濃度検出センサ７と静電潜像検出センサ８の出力信号を監視しており、ＬＥＤアレー２の露光部３及び露光部４の露光光量を制御している。
【００３７】
図２は、露光制御部の詳細を示したブロック図である。図２において、画像濃度補正部１０は、画像のトナー濃度を検出する光学濃度検出センサ７の出力値を基づいて画像濃度に対応する補正値を出力する。濃度パッチパターンを検出する毎に、基準値からのズレ量を算出して補正値とする。光量補正値参照部１１では、ＬＥＤアレー２の画像領域に用いられる光量設定値テーブルを参照し、光量設定値を出力する。
【００３８】
潜像目盛り出力補正部１２は、静電潜像検出センサ８の出力信号を処理して、潜像目盛り形成に最適な設定値を出力する。振幅検出回路１３とＤｕｔy検出回路１４を備えている。振幅検出回路は、後述する静電潜像検出センサ８の出力信号の最大値を検出する回路で、振幅が最大になる光量の時が最適な露光光量となる。またＤｕｔｙ検出回路１４は二値化出力の比率を検出する。後述する静電潜像検出センサ８の出力信号の立ち上がり及び立下りエッジの比率を検出するものである。
【００３９】
光量設定部１５は、ＬＥＤアレー２の潜像目盛り形成領域の光量を最適にすることと、最適光量を検出するために光量を可変させる機能を持っている。光量が最適であるかどうかは、段階的に光量を可変させてその結果から判断する必要がある。光量設定部１５は、一定の間隔で光量を変化させる。一例としては、濃度パッチパターンの形成時と同じ紙間で実行される。潜像目盛り出力補正部１２では、変化した光量に応じて出力値を検出し、最適な光量を算出する。適切な出力値が決定されると、光量設定部１５は、所定の光量を設定する。
【００４０】
光量の変更方法には、ＬＥＤアレー２の露光部３及び露光部４の輝度を変更する方法と、点灯時間を変更する方法がある。輝度は、ＬＥＤに流れる電流量を変えることで変更できる。ＬＥＤアレー点灯時間を変更すると、その露光面積が変化することになるが、点灯時間変動分に対して点灯時間はその1/100以下と十分に短いため問題にならない。
【００４１】
図４は、電位センサの構成を示した図である。断面Ｂ−Ｂをその右側に示す。図４で示すように直径１０μｍの金属線からなる導線をＬ字型に曲げて、その先端が検出部４２となり、検出部４２の長さは約２ｍｍである。電位センサ４６を、静電潜像検出センサ８として用いる場合には、検出部４２と電荷で構成される潜像目盛り線が平行になるように電位センサを配置する。Ｌ字型に曲げた導線４２は、ポリイミドのフィルムからなるベースフィルム４３と、同等な大きさと厚さを有するポリイミドのフィルムからなる保護フィルム４４の間に挟み込まれ接着されている。出力部４５からは、静電誘導信号を取り出すことができる。
【００４２】
図５は、感光ドラム近傍に潜像センサを配置した図である。図５において、感光ドラム１の表面に静電潜像検出センサとしての電位センサ４６を当接させている。感光ドラム１の表面には潜像目盛りが形成されており、低電位部５１と高電位部５２が交互に形成されている。低電位部は、帯電部においてマイナス電位で均一に帯電された部分であり、高電位部５２は露光部において電荷を光消去した部分である。潜像目盛り形成の幅５３と間隔５４は数十〜数百μｍに設定される。また、静電潜像目盛りの形成の幅５３と間隔５４は、後述する出力値の二値化信号が１：２で形成されるのが望ましい。等間隔に形成することで、電位変化の全てのエッジをタイミング検出として使用できる。
【００４３】
図６は、静電潜像目盛りと静電潜像検出センサ出力信号の関係を示した図である。感光ドラム表面６１は、静電潜像目盛り形成領域の一部を切り取ったものである。図５と同様に、低電位部５１を白、高電位部５２を黒で表わしている。中段に電位分布の例を示している。図には電位分布の一例を示しているが、露光量を変更することで、電位分布のプロファイルは変化する。下段に示しているのが静電潜像検出センサ８の出力信号である。低電位部５１と高電位部５２の境界毎に信号のピークが発生する。センサ出力信号は、静電潜像検出センサ８に対して、感光ドラム表面６１が、隣接する低電位部５１から高電位部５２に移動したときに正のピーク６２となり、隣接する高電位部５２から低電位部５１に移動したときに負のピーク６３となる。静電潜像検出センサ８の出力信号における速度変動の検出は、センサ出力信号のゼロクロス通過時刻６４及びゼロクロス通過時刻６５の時間間隔によって測定される。このように、センサ出力信号のゼロクロス通過時刻位置での出力変化の傾きが急峻であるほど、精度の良い計測が行える。
【００４４】
図７は、静電潜像検出センサ出力信号と、二値化出力信号について示した図である。出力信号は、図６で説明したものの一部を示している。図のように、二値化出力信号６７は、静電潜像検出センサのアナログ出力信号６８をゼロクロス通過時刻で二値化したものである。時間間隔ｔ１は、低電位部から高電位部へ変化する境界と、高電位部から低電位部へ変化する境界の間隔を測定した結果となる。時間間隔ｔ２は逆に、高電位部から低電位部へ変化する境界と、低電位部から高電位部へ変化する境界の間隔を測定した結果となる。時間間隔ｔ３は、ｔ１＋ｔ２である。電位分布のプロファイルが変化しても時間間隔ｔ３は保たれる。しかし、ｔ１とｔ２の比率は変化してしまう。ｔ１とｔ２が、たとえば１：１の固定であれば、二値化出力の両エッジが使用できるので、計測精度に起因する分解能が向上する。
【００４５】
図８は、最適露光光量を計測するために形成される潜像パターンおよび得られる出力値を示した図である。
【００４６】
潜像目盛りパターン間隔は、図６と同じであり、このパターンは、紙間の有効画像を印字していない時間に形成される。その他、装置が印字を行っていない期間に行っても良い。図８では、パターン７１からパターン７５露光光量を段階的に増やしていったときの様子を示している。これらのパターンの電位分布を中段に示す。露光光量に伴って電位差と電位分布が変化する例を示している。潜像センサの出力は、下段のようになり、この例では、波形７６の部分が最もP-P値が大きくなっていることが分かる。すなわち、パターン７４を形成した時の露光光量を用いれば、最適な潜像センサの出力が得られることが分かる。
【００４７】
図９は、最適露光光量計測のためのフローチャートである。最適露光光量計測を始めると（STEP111）、計測が可能な期間であるかどうかを確認する。実施例では、画像を形成していない紙間を用いて計測を行うため、紙間の期間かどうかを確認する（STEP112）。計測可能な期間である場合は、露光光量を複数回段階的に変化させて、潜像センサの出力を読み取る。まず、最低の露光光量に設定し（STEP113）、潜像目盛りを描画する（STEP114）。描画された潜像目盛りで潜像センサの出力が得られると、順次P-P値の算出と（STEP115）、波形のＤｕｔy値の算出を行い（STEP116）、記憶しておく。露光光量の変更を行いながら（STEP117）再度計測を行い（STEP113〜STEP116）全てのデータ取得が終了したことを確認すると（STEP118）、最適光量の算出に入る。
【００４８】
実施例では、最適値決定のための値として、振幅あるいはＤｕｔyのどちらかを選択するようにしているが（STEP119）両方を用いても良い。振幅を用いる場合には、最大振幅の時の露光光量を選択し（STEP120）、Ｄｕｔｙを用いる場合には、比率が1/2に近いものを選択する（STEP121）。最適光量が決定したら、その値を設定し（STEP122）計測動作を終了する（STEP123）。
【００４９】
図３は、露光光量と出力電圧の相関を示した測定結果のグラフである。
【００５０】
横軸は露光時間、縦軸は静電潜像検出センサ８の出力信号のＰ−Ｐ値の平均電圧である。出力信号は、振幅検出回路１３でゲインを調整され、０Ｖ−５Ｖの間で振れるようになっている。グラフの曲線３１は、ＬＥＤアレーを用いた測定において確かめられた露光量と出力との関係である。露光時間を長くしていくと、途中までは出力が大きくなるがある時点を超えると逆に出力が小さくなることが確認できる。グラフでは、３２の位置が最大である。この測定では、約1.8usの露光時間を用いることが望ましいという結果となった。
【００５１】
出力が大きければ出力信号のＳ/Ｎが向上することも当然であり、等間隔に形成された静電潜像目盛りより計測できる速度変動のばらつきは、出力振幅に強い相関があることが確かめられている。静電潜像目盛り形成のためには、振幅最大になる露光時間３２の露光時間が適切であるということが言える。一方、トナー像形成に最適な露光時間は、光学濃度検出センサより求めた結果、トナー像形成に最適は露光時間３３の約０．８usであることが分かった。このように、画像に最適な光量と静電潜像目盛りに最適な光量は、異なっていて、更に静電潜像目盛り出力に適している露光量が存在している。
【００５２】
以上説明してきたように、潜像センサの出力信号の振幅を測定することで、潜像センサ形成に最適な露光光量を決定することが可能になる。
【００５３】
［実施例２］
図１１に実施例２の構成画像形成装置の静電潜像目盛り信号取得構成について示している。第１実施例は、露光光源にＬＥＤアレーを用いた例を示したが、第２実施例においては、露光光源にレーザー光を用いた例を説明する。図１１において、実施例１と同様のものは同一の符号を付してあり、ここでは説明を省略する。露光手段としてのレーザー光源ユニット１６は、感光ドラム1の回転に同期しながら、レーザー光をポリゴンミラーで主走査である矢印方向にスキャンを繰り返し、トナー像潜像と静電潜像目盛りを露光する。露光光量制御部１７は、照射するレーザー光の光量設定値をレーザー光源ユニットに出力する。レーザー光源ユニットは、入力される光量設定値を元に、画像形成領域と静電潜像目盛り領域の境界で露光量を可変しながら制御する。
【００５４】
図１２は、図１１のレーザー光源ユニット内の構成を示すブロック図である。図１２において、ポリゴンミラー１３１は、矢印方向に回転し、レーザーダイオード１３２の照射光を走査する。電流源１の１３３と電流源２の１３４は、それぞれ画像領域光量設定値と静電潜像目盛り領域光量設定値に従って、電流値を決定する。電流源選択回路１３５は、レーザー光の走査位置に応じて生成された電流源選択信号に基づいて電流源を選択する。ＢＤセンサ１３６は、走査されるレーザー光を検出するセンサであり、走査光を検出して走査基準のタイミングを生成する。電流源選択信号１３６は、ＢＤセンサ１３６から得られる走査タイミングより不図示の制御回路で生成される。
【００５５】
図１３は、レーザー光の光量を変更するタイミングを示した図である。ＢＤセンサ信号１４１は、各走査の基準信号として使用される。図示していないが、ＢＤセンサを通過する前後の区間はレーザー光が点灯することで、ＢＤセンサ信号が取得できるようになっている。画像データ１４２は、画像形成区間に、静電潜像目盛りデータ１４３は、静電潜像形成区間に生成される。電流源選択信号１４４は、画像形成区間と静電潜像形成区間の境界で変化し、電流源を選択する。レーザー駆動電流は、画像形成区間でのレーザー駆動電流１４５と静電潜像形成区間でのレーザー駆動電流１４６で、異なった電流源を用いた電流値となる。その結果、領域毎に異なった露光量で潜像を形成することができる。
【００５６】
なお、実施例２では、複数の電流源を切り替えることでレーザー光の光量を可変する方法を示したが、光量の変更をＰＷＭ方式の点灯時間変調によっても可変することができる。
【符号の説明】
【００５７】
1      感光ドラム
2      ＬＥＤアレー
3      露光部
4      露光部
5      画像形成領域
6      静電潜像目盛り形成領域
7      光学濃度検出センサ
8      静電潜像検出センサ
9      露光光量制御部
10     画像濃度補正部
11     光量補正値参照部
12     静電潜像目盛り出力補正部
13     振幅検出回路
14     Ｄｕｔｙ検出回路
15     光量設定部
16     レーザー光源ユニット
17     露光光量制御部
31     グラフの曲線
32     振幅最大になる露光時間
33     トナー像形成に最適な露光時間
42     検出部
43     ベースフィルム
44     保護フィルム
45     出力部
46     電位センサ
51     低電位部
52     高電位部
53     静電潜像目盛り形成の幅
54     静電潜像目盛り形成の間隔
61     感光ドラム表面
62     正のピーク
63     負のピーク
64     ゼロクロス通過時刻
65     ゼロクロス通過時刻
67     二値化出力信号
68     アナログ出力信号
71     パターン
72     パターン
73     パターン
74     パターン
75     パターン
76     波形
100    画像形成装置
101    感光ドラム
102    帯電手段
103    露光手段
104    現像手段
105    一次転写ローラ
106    クリーニング手段
109    中間転写ベルト
110    バックアップローラ
111    二次転写ローラ（記載なし）
112    テンションローラ
113    駆動ローラ
114    給紙ローラ
115    分離手段
116    レジストローラ
117    定着装置
118    中間転写ベルトクリーニング手段
120    給紙カセット
121    光学センサ
131    ポリゴンミラー
132    レーザーダイオード
133    電流源１
134    電流源２
135    電流源選択回路
136    ＢＤセンサ
141    ＢＤセンサ信号
142    画像データ
143    静電潜像目盛りデータ
144    電流源選択信号
145    レーザー駆動電流
146    レーザー駆動電流
201    感光ドラム
202    静電潜像
203    電位センサの検出部
204    導線
205    位置ずれを検出する回路
【図２】
2015041035.tif 000003
【図７】
2015041035.tif 000004
【図１】
2015041035.tif 000005
【図３】
2015041035.tif 000006
【図４】
2015041035.tif 000007
【図５】
2015041035.tif 000008
【図６】
2015041035.tif 000009
【図８】
2015041035.tif 000010
【図９】
2015041035.tif 000011
【図１０】
2015041035.tif 000012
【図１１】
2015041035.tif 000013
【図１２】
2015041035.tif 000014
【図１３】
2015041035.tif 000015
【図１４】
2015041035.tif 000016